(57)【要約】【課題】  樋径の異なる樋状体を選択的に収納できて、しかも試料採取コア数が増大しても整然と簡単に保存管理できる保存ケースを提供することにある。【解決手段】  一端側に端壁１３を、他端側に出入口３を備え、上側に開口部１４を有する箱状本体１と、出入口より本体内に出し入れするコア保持体５と、出入口に着脱自在に備える蓋体７とから成り、箱状本体は出入口側に間隔適正部４を備え、コア保持体は樋状体Ｐの載置部５ａを２列平行に備えた二列式コア保持体５Ａと、樋状体の載置部を３列平行に備えた三列式コア保持体５Ｂとの何れか一方で、且つ長手方向に対して二分割〜六分割された分割保持体６を連続したものであり、三列式コア保持体は支持手段１５を介して上下に段重ね可能となり、構成部品の総てを非磁性素材にて形成し、樋状体内に地質試料等Ｇを採取した試料採取コアＱを複数平行に保持し得るようにしたことを特徴とする。【選択図】        図１−１
2008209192.tif 000002
【特許請求の範囲】
【請求項１】
底壁（１１）の左右に側壁（１２）を相対設し、一端側に端壁（１３）を、他端側に出入口（３）を備え、且つ上側に開口部（１０）を有する箱状本体（１）と、出入口（３）より箱状本体（１）内に出し入れするコア保持体（５）と、出入口（３）に着脱自在に備える蓋体（７）とから成り、コア保持体（５）は断面半円形の樋状体（Ｐ）の載置部（５ａ）を少なくとも２列平行に備え、樋状体（Ｐ）内に地質試料等Ｇを採取した試料採取コア（Ｑ）を複数平行に保存し得るようにしたことを特徴とするコア用保存ケース。
【請求項２】
コア保持体（５）は、試料採取コア（Ｑ）の載置部（５ａ）を２列平行に備えた二列式コア保持体（５Ａ）と、試料採取コア（Ｑ）の載置部（５ａ）を３列平行に備えた三列式コア保持体（５Ｂ）との何れか一方であることを特徴とする請求項１記載のコア用保存ケース。
【請求項３】
二列式コア保持体（５Ａ）と三列式コア保持体（５Ｂ）の少なくとも一方が、コア保持体（５）の長手方向に対して二分割〜六分割した分割保持体（６）を連続したものであることを特徴とする請求項２記載のコア用保存ケース。
【請求項４】
三列式コア保持体（５Ｂ）は、支持手段（１５）を介して上下に段重ね可能となることを特徴とする請求項２または３記載のコア用保存ケース。
【請求項５】
本体開口部（１０）の少なくとも出入口（３）側に間隔適正部（４）を備え、間隔適正部（４）にて本体幅（Ｓ）を整えていることを特徴とする請求項１，２，３または４記載のコア用保存ケース。
【請求項６】
間隔適正部（４）が箱状本体（１）と別体に形成した間隔適正材（１４）であり、その間隔適正材（１４）を本体側壁（１２）の出入口（３）側上部に設けた切欠部（２１）間に架設していることを特徴とする請求５記載のコア用保存ケース。
【請求項７】
間隔適正部（４）より出入口（３）側に、蓋体（７）の嵌合部（３０）と着脱手段（８）とを備え、蓋体（７）は嵌合部（３０）に対応する遮蔽部（７ａ）と着脱手段（８）に対応する被着脱手段（９）とを備え、装着状態において外部から箱状本体（１）内部を透視し得るものであることを特徴とする請求項１〜６のうちの１記載のコア用保存ケース。
【請求項８】
箱状本体（１）の底部に、本体開口部（１０）より一回り小さい嵌入部（２０）を備え、同じ箱状本体（１）を上下嵌合状態に段重ねし得るようにしたことを特徴とする請求項１〜７のうちの１記載のコア用保存ケース。
【請求項９】
少なくとも箱状本体（１）が二重壁構造を成し、上縁部に鍔部（２４）を備え、鍔部（２４）に連続する外壁（１ｂ）に補強部（２６）を適宜間隔で形成し、補強部（２６）の形成部を除く鍔部（２４）に把握部（２５）を備えていることを特徴とする請求項１〜８のうちの１記載のコア用保存ケース。
【請求項１０】
構成部品の総てを、少なくとも耐水性を備えた非磁性素材にて形成したことを特徴とする請求項１〜９のうちの１に記載のコア用保存ケース。
【発明の詳細な説明】
【技術分野】
【０００１】
本発明は、地質試料等を納めた試料採取コア（試料採取サンプラーとも称する）の保存ケースに関するものであり、詳しくは、断面半円形の樋状体（試料採取管、又はコアとも称する）内に地質調査、或は地盤改良工事後の品質確認等のために採取した地質試料等を納めた試料採取コアを出し入れ自在に収納するものである。
【背景技術】
【０００２】
地質調査（以下、土質調査も含む）は、陸地における調査は勿論、湖沼及び海底等における水面下においても調査されており、近年では、南極における氷面下からも調査されており、代表的な地質試料採取技術としては、ボーリングマシンによるシンウォールサンプリング法が知られている。
地質試料等は、古くは金属管内に採取されていたが、重くなり、出し入れに労力を要するので、ほとんど利用されないのが現状である。金属管の代わりに特開２００３−１６１６７７号公報の如く合成樹脂管を一時用いられていたが、近年、特開平１０−１９７４２号公報や実用新案登録第３０６７６２２号公報の如く、筒体を長さ方向に開閉可能に分割した断面半円形の樋状体を向い合わせに組合わせ、円筒状と成して地質試料等を採取した後、組合わせ状態にあった樋状体を二分割し、一対の試料採取コアを得るものである。
【０００３】
樋状体内に地質試料等を採取した試料採取コアは、採取年月日、採取地、採取深度等が容易に識別できるように管理保管し、且つ、地質試料等の調査が終了するまで損傷、欠損、脱落しないように管理保管する必要があり、その保管手段として、実用新案登録第３０６７６２２号公報の如く袋に入れるもの、特開２００３−１６１６７７号公報の如く試料採取コアを台に載置するもの提案されている。
地質試料等の採取深度が浅い場合、通常、樋長さ１０〜１００ｃｍ程度の樋状体を用い、採取対象物に砂質土を含む場合、樋径１０ｃｍ程度の樋状体を用いている。一般に、採取深度が深くなるに従って樋径の大きい樋状体を用いるが、樋長さは取扱上、最大２５０ｃｍ程度であるから、採取深度が１０００ｍ以上に達する地球深部探査等にあっては、試料採取コアの数量も膨大になる。
【特許文献１】特開平１０−１９７４２号公報
【特許文献２】実用新案登録第３０６７６２２号公報
【特許文献３】特開２００３−１６１６７７号公報
【発明の開示】
【発明が解決しようとする課題】
【０００４】
地質試料等の採取技術は多数提案されているが、試料採取コアの保存手段は調査現場にまかされていたため、保存手段の相違により調査内容にばらつきが生じる等の問題点もあるし、試料採取コア数が１０体を超える採取調査にあっては、調査に用いた試料採取コアを乱すことなく管理保存することが困難であるという問題もあった。特に、地球深部探査にあっては、海底から２５００〜４４００ｍも掘削されるので、試料採取コア数も膨大になり、その管理保存に問題があった。
また、断面半円形の樋状体を用いた試料採取コアは、二個の樋状体を向い合わせに組合わせ、円筒状と成して地質試料等を採取した後、二分割したものであるから、これを別々に管理保存すると、同じ採取位置の地質試料等が分散し、信頼性が失われる問題もあった。
【０００５】
特許文献２にあっては、柔軟な袋内に保管するものであるから、移動時に地質試料が損傷する可能性が大であり、調査用としては大きな問題がある。また、特許文献３にあっては、試料採取コアを個別に、しかも前後で支持保管するため、採取深度が深くなるにつれて、広い保存場所を必要とするし、取扱や移動が不便である等の問題がある。
そこでこの発明は、従来技術の有するこのような問題点に鑑みてなされたものであり、その目的とする所は、樋径の異なる樋状体を選択的に収納できて、しかも試料採取コア数が増大しても整然と簡単に保存管理できる保存ケースを提供することにある。
【課題を解決するための手段】
【０００６】
本発明のコア用保存ケースは、請求項１として、底壁の左右に側壁を相対設し、一端側に端壁を、他端側に出入口を備え、且つ上側に開口部を有する箱状本体と、出入口より本体内に出し入れするコア保持体と、出入口に着脱自在に備える蓋体とから成り、コア保持体は断面半円形状の樋状体の載置部を少なくとも２列平行に備え、樋状体に地質試料等を採取した試料採取コアを複数平行に保存し得るようにしたことを特徴とする。
請求項２は、請求項１のコア用保存ケースにおいて、コア保持体は試料採取コアの載置部を２列平行に備えた二列式コア保持体と、試料採取コアの載置部を３列平行に備えた三列式コア保持体との何れか一方であることを特徴とする。
請求項３は、請求項１，２のコア用保存ケースにおいて、二列式コア保持体と三列式コア保持体の少なくとも一方が、コア保持体の長手方向に対して二分割〜六分割した分割保持体を連結したものであることを特徴とする。
【０００７】
ここで地質試料等（カッティング試料を含む）とは、地質調査や地盤改良工事後の品質確認等のために採取したもので、陸地から採取したもの、水面下の湖底や海底から採取したもの、氷面下から採取したもの等を言う。
ここで樋状体とは、一定の長さを有する合成樹脂製の断面半円形のもの、及び合成樹脂製の円筒を長手方向に半割りにした断面半円形のものを言い、試料採取コアとは、樋状体の内部に底泥や地質試料等を採取したものを言う。
ここで箱状本体とは、試料採取コアを２〜８本平行に収容し得る大きさの上方開放式の長尺箱を言い、出入口とは、コア保持体を箱状本体の長手方向に沿って出し入れする開口部を言う。
ここでコア保持体とは、試料採取コアを２本平行に保持する二列式コア保持体と、試料採取コアを３本平行に保持する三列式コア保持体とを言い、二列式コア保持体は主に１段式に、三列式コア保持体は上下二段式に用いるものであり、分割保持体とは、二列式コア保持体を長手方向に対して二分割〜六分割した二列式分割保持体と、三列式コア保持体を長手方向に対して二分割〜六分割した三列式分割保持体とを言い、各分割保持体を長手方向に連結したり接着し、二列式コア保持体や三列式コア保持体を構成するものである。
【０００８】
請求項４は、請求項２，３記載のコア用保存ケースにおいて、三列式コア保持体は、支持手段を介して上下に段量ね可能となることを特徴とする。
請求項５は、請求項１，２，３，４記載のコア用保存ケースにおいて、本体開口部の少なくとも出入口側に間隔適正部を備え、間隔適正部にて本体幅を整えていることを特徴とする。
請求項６は、請求項５記載のコア用保存ケースにおいて、間隔適正部が箱状本体と別体に形成した間隔適正材であり、その間隔適正材を本体側壁の出入口側上部に設けた切欠部間に架設していることを特徴とする。
請求項７は、請求項１〜６のうちの１に記載のコア用保存ケースにおいて、間隔適正部より出入口側に、蓋体の嵌合部と着脱手段とを備え、蓋体は嵌合部に対応する遮蔽部と、着脱手段に対応する被着脱手段とを備え、装着状態において外部から箱状本体内部を透視し得るものであることを特徴とする。
【０００９】
ここで三列式コア保持体の支持手段とは、三列式コア保持体を上下二段に配置する時、上位三列式コア保持体を下から支えるものを言う。
ここで間隔適正部とは、本体幅を一定に保つものを言い、箱状本体と一体に形成することも可能であるが、間隔適正材を別体に形成し、これを箱状本体に後から固定または着設することで、箱状本体の生産能率が向上する。
ここで蓋体とは、出入口を塞ぐものであって、しかも着脱自在であり、装着時にロックし得るものを言い、箱状本体内部を透視し得るとは、蓋体を透明材や半透明材にて形成するか、蓋体の一部に透明部や半透明部を設け、外部からの直接透視を可能にすることを言い、着脱手段と被着脱手段とは、蓋体を箱状本体の嵌合部に直接嵌脱し得るもので、且つ、箱状本体の積量ね状態においても嵌脱し得るものであればその構造は自由である。
【００１０】
請求項８は、請求項１〜７のうちの１に記載のコア用保存ケースにおいて、箱状本体の底部に、本体開口部より一回り小さい嵌入部を備え、同じ箱状本体を上下嵌合状態で段重ねし得るようにしたことを特徴とする。
請求項９は、請求項１〜８のうちの１に記載のコア用保存ケースにおいて、少なくとも箱状本体が二重壁構造を成し、上縁部に鍔部を備え、鍔部に連続する外壁に補強部を適宜間隔で形成し、補強部の形成部を除く鍔部に把持部を備えていることを特徴とする。
請求項１０は、請求項１〜９のうちの１に記載のコア用保存ケースにおいて、構成部品の総てを、少なくとも耐水性を備えた非磁性素材にて形成したことを特徴とする。
【００１１】
ここで嵌入部とは、本体開口部より一回り小さい部位を言い、同じ箱状本体を上下に嵌合状態で段重ねした時、下位の本体開口部内に挿入し、前後左右方向への移動、即ち、積み重ねた時にずれない構造を言う。
ここで二重壁構造とは、箱状本体の重さが１５Ｋｇ以内で、且つ、試料採取コアの積載状態で５０Ｋｇ以内に収まり、少なくとも５段積みが可能な強度及び構造を有することを言う。
ここで把持部とは、持ち運びを容易にする手段であり、例えば側壁と端壁の上縁に設けた鍔部を把持部とすることが好ましいが、本体幅からはみ出してはならない。
ここで非磁性素材で形成するとは、主たる目的は地質試料等に影響を与えないためであり、更に耐水性、耐有機溶媒性、耐塩素材であり、保存温度（＋２℃〜＋５０℃）に耐える素材が好ましい。
【発明の効果】
【００１２】
本発明によるコア用保存ケースは上記構造のとおりであるから、次に記載する効果を奏する。
請求項１のコア用保存ケースは、箱状本体の出入口よりコア保持体を挿入し、該コア保持体の載置部に沿って地質試料等を採取した試料採取コアを挿入した後、出入口に蓋体を嵌挿するだけで、複数の試料採取コアを一定間隔に平行して載置保存することができる。その結果、試料採取コアの集積効率が向上し、保存スペースもコンパクトになるし、取出しも簡単容易にもなる。
特に、試料採取コアを採取時のままの姿で安定した状態で保存し得るばかりか、軽くて取扱が簡便であり、簡単に洗浄して反復使用することも可能である。
請求項２のコア用保存ケースは、請求項１の特徴に加えて、コア保持体として、二列式コア保持体と三列式コア保持体とを備えているので、地質試料等を採取した試料採取コア、即ち、樋径に応じてコア保持体を選択使用し得る。
請求項３のコア用保存ケースは、請求項２の特徴に加えて、コア保持体が長手方向に対して二分割〜六分割された分割保持体を連結したものであるから、使用時を除いて、分割してコンパクトに保管したり移動し得る。
【００１３】
請求項４のコア用保存ケースは、請求項２，３の特徴に加えて、同じ三列式コア保持体を上下に段重ねしても、支持手段にて上位三列式コア保持体を下から支持することができる。その結果、地質試料等を採取した試料採取コアを上下二段に安定した状態で収納し得る。特に、１体のコア用保存ケースに６本の試料採取コアを保存し得るので、保存スペースの有功利用に貢献する。
請求項５のコア用保存ケースは、請求項１，２，３，４記載の特徴に加えて、本体開口部に間隔適正部を備えているので、樋状本体が合成樹脂製であっても、本体幅を一定に保つことができる。
請求項６のコア用保存ケースは、請求項５記載の特徴に加えて、箱状本体と別体に形成した間隔適正材で間隔適正部を形成しているので、間隔適正部を箱状本体と一体成形する場合より、箱状本体の製造能率が飛躍的に向上する。
請求項７のコア用保存ケースは、請求項１〜６のうちの１記載の特徴に加えて、蓋体は着脱手段と被着脱手段によって嵌脱自在となる。しかも同じコア用保存ケースの積重ね状態においても簡単に嵌脱することができる。特に、透視可能であるから、蓋体を開放揺動したり取外すことなく試料採取コアの収容状態を外部から直接透視し得る。
【００１４】
請求項８のコア用保存ケースは、請求項１〜７のうちの１記載の特徴に加えて、箱状本体の底部に本体開口部より一回り小さい嵌入部を備えているので、同じ箱状本体を安定した状態で上下に段重ねし得る。
請求項９のコア用保存ケースは、請求項１〜８のうちの１記載の特徴に加えて、箱状本体が二重壁構造を成し、しかも上縁部に鍔部を、外壁に補強部を備えているので、強度と耐久力が向上し、５段以上の積重ねにも耐える。また、把握部を備えているので、持ち運びや移動も容易になる。
請求項１０のコア用保存ケースは、請求項１〜９のうちの１記載の特徴に加えて、構成部品の総てを非磁性素材にて形成しているので、保存中に地質試料等に影響を与えることがない。その結果、試料採取コアに対する保存維持の信頼性が著しく向上する。
【発明を実施するための最良の形態】
【００１５】
先ず、地質調査に用いる断面半円形の樋状体Ｐは、図１０−１の如く合成樹脂材にて押出し成形し、適宜長さに切断したもの、又は合成樹脂製の円筒（パイプ）を長手方向に沿って二分割にしたものである。
樋状体Ｐの樋長さｈと樋径φは、地質調査対象によって異なるが、樋長さｈとして採用し得る範囲は３０〜２５００ｃｍであり、樋径φとして採用し得る範囲は４０〜１５０ｍｍである。本発明においては、樋径φ＝９０ｍｍ、樋長さｈ＝１５５０ｍｍの樋状体Ｐと、樋径φ＝７１ｍｍ、樋長さｈ＝１５５０ｍｍの樋状体Ｐとを用いるものとする。
試料採取コアＱは、図１０−２の如く樋状体Ｐに地質試料等Ｇを採取したものである。
【００１６】
次に、本発明によるコア用保存ケースの最良形態を図１−１と図１−２に基づき説明すると、二重壁構造を成す箱状本体１と、該本体１の一端側に設けた出入口３より内部に出し入れするコア保持体５と、出入口３に着脱自在に備える蓋体７とから成り、箱状本体１は図２−１と図２−２の如く、底壁１１の左右に側壁１２を相対設し、一端側に端壁１３を、他端側に出入口３を備え、且つ上側に開口部１０を備え、開口部１０の出入口３側に本体幅Ｓを整える間隔適正部４を、その間隔適正部４より出入口３側に蓋体７の嵌合部３０と着脱手段８とを備え、間隔適正部４として別に形成した間隔適正材１４を図３−３の如く架設固定し、蓋体７は嵌合部３０に嵌脱する遮蔽部７ａと着脱手段８に対応する被着脱手段９とを備え、コア保持体５は、樋状体Ｐの載置部５ａを２列平行に備えた二列式コア保持体５Ａと、樋状体Ｐの載置部５ａを３列平行に備えた三列式コア保持体５Ｂとから成り、樋状体Ｐの樋径φに合わせて選択使用するものであり、樋状体Ｐ内に地質試料等Ｇを採取した試料採取コアＱを複数平行に保持する。
【００１７】
二重壁構造を成す箱状本体１は、図２−３の如く内壁１ａと外壁１ｂとの間に空洞部１ｃを有し、底部に本体開口部１０より一回り小さい嵌入部２０を備え、同じ箱状本体１を上下嵌合状態で段重ねし得るようにし、側壁１２と端壁１３の上側に鍔部２４を備え、鍔部２４に連続する外壁１ｂに補強部２６を適宜間隔で備え、補強部２６間の鍔部２４を把握部２５とし、側壁１２の出入口３側上部に、図２−４の如く間隔適正材厚さｔと同等の切欠部２１を設け、切欠部２１に間隔適正材１４を固定するための雌ネジ部２２と位置決め２３とを備えている。
間隔適正材１４は図３−１と図３−２の如く、桁部４ａの左右に側壁１２の切欠部２１に載置する重合部４ｂを備え、該重合部４ｂに上下方向の貫通孔４ｃと、下向きに突出する垂下部４ｄとを備え、軽量化するために全体を略同じ肉厚で形成し、リブ１７にて適宜補強するものであり、垂下部４ｄを切欠部２１の位置決め２３に合致させ、貫通孔４ｃより切欠部２１の雌ネジ部２２にボルトＢを螺入することで固定する。
蓋体７の着脱手段８は、間隔適正材重合部４ｂの出入口３側に設ける係合部８ａと、本体底壁１１の出入口３側に設ける縦孔８ｂとから成る。
【００１８】
二列式コア保持体５Ａと三列式コア保持体５Ｂとは、図４−１と図５−１の如く下向きに凹曲する載置部５ａを備え、載置部５ａに試料採取コアＱを載置した状態で脱落が確実に阻止できて、しかも試料採取コアＱを平行に載置した際に相互に触れないよう適宜間隔に形成されている。
また、コア保持体５は、長手方向に対して二分割した分割保持体６を連続して構成することも可能であり、即ち、図４−２及び図４−３の如く二列式分割保持体６Ａと、図５−２〜図５−４の如く三列式分割保持体６Ｂとを形成し、各分割保持体６Ａ，６Ｂの長手方向の一端側に連続手段１６として、雄連結部１６ａと雌連結部１６ｂとを備え、軽量化するために抜き孔５ｃを設けると共に、全体を略同じ肉厚で形成し、リブ１７にて適宜補強するものであり、連続手段１６の雄連結部１６ａと雌連結部１６ｂは、同じ二列式分割保持体６Ａ，６Ａの一端側を向かい合せにし、或は分三列式割保持体６Ｂ，６Ｂの一端側を向い合せにし、向かい合った雄連結部１６ａと雌連結部１６ｂとが相互に噛み合うものである。
特に三列式コア保持体５Ｂは、載置部５ａと境界部５ｂとを交互に備え、境界部５ｂより上側に支持手段１５として、同じ三列式コア保持体５Ｂの下部に係合する支持部１５ａを設け、同じ三列式コア保持体５Ｂを上下二段に収納し得るようにする。
【００１９】
蓋体７は図６−１〜図６−３の如く、被着脱手段９として、遮蔽部７ａの上部より左右に突き出る腕部９ａと、遮蔽部７ａの下端面より垂下するストッパー９ｂとを備え、軽量化するために全体を略同じ肉厚で形成し、リブ１７にて適宜補強し、試料採取コアＱの収容状態を外部から直接透視し得るように透明素材や半透明素材にて形成するものであり、腕部９ａは間隔適正材重合部４ｂに設けた係合部８ａと、ストッパー９ｂは本体底壁１１に設けた縦孔８ｂと嵌脱可能となり、同じコア用保存ケースＣの積重ね状態においても着脱可能となる。
【実施例１】
【００２０】
箱状本体１として、本体幅Ｓ＝最大２８０ｍｍ、本体高さＴ＝最大１２０ｍｍ、本体長さＨ＝最大１６５０ｍｍの二重壁構造の箱状本体１を用いる。
間隔適正部４として間隔適正材１４を用い、蓋体７を透明材にて形成しておく。
コア保持体５として、予め二列式コア保持体５Ａを二分割した二列式分割保持体６Ａと、三列式コア保持体５Ｂを二分割した三列式分割保持体６Ｂとを形成しておく。
構成部品の箱状本体１と間隔適正材１４、及びコア保持体５，５Ａ，５Ｂと分割保持体６，６Ａ，６Ｂと蓋体７の総てを、少なくとも耐水性を備えた非磁性素材にて形成する。
【００２１】
組立て工場や調査現場、又は保存現場にて本体側壁１２の切欠部２１間に間隔適正材１４を架設固定し、箱状本体１を構成する。また、同じ二列式分割保持体６Ａ，６Ａを向かい合わせに連続して二列式コア保持体５Ａを構成する一方、同じ三列式分割保持体６Ｂ，６Ｂを向かい合わせに連続して三列式コア保持体５Ｂを構成する。
箱状本体１内に二列式コア保持体５Ａを収納する場合、二列式コア保持体５Ａの載置部５ａを上に向けて出入口３の前方に位置し、出入口３から端壁１３に向けて押込めばば、二列式コア保持体５Ａは本体底壁１１に沿って挿入し、図７−１と図７−２の如く収納される。
箱状本体１内に三列式コア保持体５Ｂを収納する場合、図８−１と図８−２の如く先ず下段の三列式コア保持体５Ｂを二列式コア保持体５Ａと同様に本体底壁１１の上に収納した後、その上に同じ三列式コア保持体５Ｂを上段として収納する。
【００２２】
試料採取コアＱの保存において、二列式コア保持体５Ａを用いるコア用保存ケースＣは、箱状本体１から取出し状態にある二列式コア保持体５Ａの載置部５ａに試料採取コアＱを載置し、図７−３の如く試料採取コアＱを載置する状態で本体出入口３から奥に向けて挿入する。
三列式コア保持体５Ａを用いるコア用保存ケースＣは、先ず箱状本体１から取出し状態にある三列式コア保持体５Ｂの載置部５ａに試料採取コアＱを載置し、これを下段三列式コア保持体５Ｂとし、次に下段三列式コア保持体５Ｂの支持部１５ａを利用して同じ三列式コア保持体５Ｂを上側係合し、上段三列式コア保持体５Ｂの載置部５ａに試料採取コアＱを載置した後、図８−３の如く上下二段に試料採取コアＱを載置する状態で本体出入口３から奥に向けて挿入する。このように、二列式コア保持体５Ａと三列式コア保持体５Ｂとに試料採取コアＱを載置し、試料採取コアＱを載置する状態で箱状本体１に納める場合、試料採取コアＱの載置が容易である。
【００２３】
箱状本体１内に二列式コア保持体５Ａを納め、該保持体５Ａに試料採取コアＱを載置する状態、或は三列式コア保持体５Ｂを上下二段式に納め、該保持体５Ｂに試料採取コアＱを載置する状態において蓋体７を取付け、出入口３を塞ぐには、蓋体７を水平状態にして上部側から間隔適正材１４に設けた係合部８ａに向けて挿入し、係合部８ａまで達した所で蓋体７を下向きに回動し、図６−４の如くストッパー９ｂを本体底壁１１に設けた縦孔８ｂに挿入するように降下すれば、蓋体遮蔽部７ａは出入口３を塞ぎ、遮蔽部７ａから左右に突出する腕部９ａが係合部８ａに係合して離脱不能となる。
出入口３を塞いでいる蓋体７を取除くには、取付け時と反対の操作をする。
【産業上の利用可能性】
【００２４】
本発明のコア用保存ケースは、二列式コア保持体５Ａを一体収納し、２本の試料採取コアＱを保存する２本保存式と、三列式コア保持体５Ｂを上下二段に収納し、６本の試料採取コアＱを保存する６本保存式とに限定されるものではなく、例えば二列式コア保持体５Ａを左右並列に収納するか上下二段に収納し、４本の試料採取コアＱを保存する４本保存式と、二列式コア保持体５Ａを左右並列に、且つ上下二段に収納し、８本の試料採取コアＱを保存する８本保存式とすることも可能である。
箱状本体１は、二重壁構造に形成することに限定されるものではなく、例えばＦＲＰで一重壁構造に成形することも可能であり、その場合、間隔適正部４も一体形成する。
【００２５】
二列式コア保持体５Ａと三列式コア保持体５Ｂは、分割保持体６にて構成するものに限定されるものではなく、予め、長尺に押出し成形し、必要に応じた長さに切断したものであってもよい。
二列式コア保持体５Ａと三列式コア保持体５Ｂの収納は実施例に限定されるものではなく、例えば二列式コア保持体５Ａを本体出入口３の前方から奥に向けて挿入し、二列式コア保持体５Ａを先に納めておき、その載置部５ａに後から試料採取コアＱを挿入することも可能である。又、三列式コア保持体５Ｂにあったは、先ず箱状本体１に三列式コア保持体５Ａを納め、試料採取コアＱを出入口３の前方に位置し、これを出入口３から二列式コア保持体５Ａの載置部５ａに沿って挿入する。次いで、同じ三列式コア保持体５Ａを下段三列式コア保持体５Ａの上側に挿入し、下段三列式コア保持体５Ａと係合した後、上段三列式コア保持体５Ａの載置部５ａに試料採取コアＱを挿入することも可能である。
【００２６】
間隔適正材１４は、左右側壁１２の切欠部２１間に架設し、重合部４ｂを切欠部２１に接着剤で固着することも可能であるし、間隔適正材１４に設けた着脱手段８の係合部８ａを、本体側壁１２の出入口３側に形成することも可能である。
樋状体Ｐは、地質試料等Ｇを採取するまで、本発明のコア用保存ケースＣと別に保管輸送されるが、図９−１の如く二列式コア保持体５Ａの載置部５ａに載置しておくことも可能であるし、図９−２の如く三列式コア保持体５Ｂの載置部５ａに載置しておくことも可能である。
本発明のコア用保存ケースは、地盤改良後の地質調査等のような試料採取にもきわめて有効である。海洋、河川や湖沼等のような水面下における地質試料等の採取、南極や氷河における氷質試料の採取にも応用可能であるし、試料採取コア以外の管、筒等の保存管理にも利用可能である。
また、本発明構成品の箱状本体１とコア保持体５と蓋体７、及び樋状体Ｐは繰り返し使用することが可能であるから、設備コストの低減化の上でも有利となる。
実施形態に限定されることなく、特許請求の範囲に記載された発明の範囲内で種々の変更が可能であり、それらも本発明の範囲内に包含されるものである。
【図面の簡単な説明】
【００２７】
【図１−１】本発明によるコア用保存ケースの最良形態（二列式コア保持体の収納した）を示す斜視図である。
【図１−２】本発明によるコア用保存ケースの最良形態（三列式コア保持体を収納した）を示す斜視図である。
【図２−１】箱状本体の正面図（イ）と平面図（ロ）である。
【図２−２】その拡大左側面図（イ）と拡大右側面図（ロ）である。
【図２−３】平面図におけるＡ−Ａ端面図（イ）とＢ−Ｂ端面図（ロ）である。
【図２−４】切欠部付近の構造を示す要部拡大断面図である。
【図３−１】間隔適正材の正面図（イ）と平面図（ロ）である。
【図３−２】平面図におけるＣ−Ｃ断面図である。
【図３−３】間隔適正材の取付状態を示す要部平面図（イ）と正面図（ロ）である。
【図４−１】二列式コア保持体の断面図である。
【図４−２】分割保持体（二列式）の平面図（イ）と正面図（ロ）である。
【図４−３】その拡大左側面図である。
【図５−１】三列式コア保持体の断面図である。
【図５−２】分割保持体（三列式）の平面図である。
【図５−３】その正面図（イ）と中央縦断面図（ロ）である。
【図５−４】その拡大左側面図である。
【図６−１】蓋体の平面図（イ）と正面図（ロ）である。
【図６−２】その左側面図（イ）と縦断面図（ロ）である。
【図６−３】蓋体の斜視図である。
【図６−４】蓋体の嵌合例を示す要部平面図（イ）と正面図（ロ）である。
【図７−１】二列式コア保持体の収納状態を示す左側面図である。
【図７−２】その斜視図である。
【図７−３】二列式コア保持体に試料採取コアを載置した左側面図である。
【図８−１】三列式コア保持体の収納状態を示す左側面図である。
【図８−２】その斜視図である。
【図８−３】三列式コア保持体に試料採取コアを載置した左側面図である。
【図９−１】二列式コア保持体に対する樋状体の載置状態を示す斜視図である。
【図９−２】三列式コア保持体に対する樋状体の載置状態を示す斜視図である。
【図１０−１】樋状体の斜視図である。
【図１０−２】試料採取コアの斜視図である。
【符号の説明】
【００２８】
１  箱状本体、１ａ  内壁、１ｂ  外壁、１ｃ空洞部
１０  開口部、１１  底壁、１２  側壁、１３  端壁
２０  嵌入部、２１  切欠部、２２  雌ネジ部、２３  位置決め、２４  鍔部
２５  把握部、２６  補強部
３  出入口、３０  嵌合部
４  間隔適正部
１４  間隔適正材、４ａ  桁部、４ｂ  重合部、４ｃ  貫通孔、４ｄ  垂下部
５  コア保持体、５Ａ  二列式コア保持体、５Ｂ  三列式コア保持体
５ａ  載置部、５ｂ  境界部、５ｃ  抜き孔
６  分割保持体、６Ａ  二列式分割保持体、６Ｂ  三列式分割保持体
１６  連続手段、１６ａ  雄連結部、１６ｂ  雌連結部
１５  支持手段、１５ａ  支持部
７  蓋体、７ａ  遮蔽部
８  着脱手段、８ａ  係合部、８ｂ  縦穴
９  被着脱手段、９ａ  腕部、９ｂ  ストッパー
１７  リブ
Ｃ  コア用保存ケース
Ｇ  地質試料等
Ｐ  樋状体
Ｑ  試料採取コア
Ｈ  本体長さ、Ｓ  本体幅、Ｔ  本体高さ
ｈ  樋長さ、φ  樋径
ｔ  間隔適正材厚さ
【図１−１】
2008209192.tif 000003
【図１−２】
2008209192.tif 000004
【図２−１】
2008209192.tif 000005
【図２−２】
2008209192.tif 000006
【図２−３】
2008209192.tif 000007
【図２−４】
2008209192.tif 000008
【図３−１】
2008209192.tif 000009
【図３−２】
2008209192.tif 000010
【図３−３】
2008209192.tif 000011
【図４−１】
2008209192.tif 000012
【図４−２】
2008209192.tif 000013
【図４−３】
2008209192.tif 000014
【図５−１】
2008209192.tif 000015
【図５−２】
2008209192.tif 000016
【図５−３】
2008209192.tif 000017
【図５−４】
2008209192.tif 000018
【図６−１】
2008209192.tif 000019
【図６−２】
2008209192.tif 000020
【図６−３】
2008209192.tif 000021
【図６−４】
2008209192.tif 000022
【図７−１】
2008209192.tif 000023
【図７−２】
2008209192.tif 000024
【図７−３】
2008209192.tif 000025
【図８−１】
2008209192.tif 000026
【図８−２】
2008209192.tif 000027
【図８−３】
2008209192.tif 000028
【図９−１】
2008209192.tif 000029
【図９−２】
2008209192.tif 000030
【図１０−１】
2008209192.tif 000031
【図１０−２】
2008209192.tif 000032